(57)【要約】      （修正有）【課題】ウエスト部裏始末縁のほつれを確実に防止し、縁始末部分の見た目や肌触りが良く、尚かつ、作業工程が簡易単純で余分なコストを掛けない安価なパンツを提供する。【解決手段】腰回り身頃地の開口部において、その開口部端縁を長手方向に挟み込んだ状態にてパイピングテープ１４を縫着し、当該腰回り身頃地の開口部分を、帯状のゴム体を被包するよう適宜巾裏側に折返し、これによって重合した身頃地を、前記パイピングテープ１４の縫着部近傍において縫合することによりウエスト部１３を形成する。【選択図】図１
0003154379.tif 000002
【実用新案登録請求の範囲】
【請求項１】
腰回り身頃地の開口部において、その開口部端縁を長手方向に挟み込んだ状態にてパイピングテープを縫着し、当該腰回り身頃地の開口部分を帯状のゴム体を被包するよう適宜巾裏側に折返し、これによって重合した腰回り身頃地を前記パイピングテープの縫着部近傍において縫合することによってウエスト部を形成してなることを特徴とするパンツ。
【考案の詳細な説明】
【技術分野】
【０００１】
本考案は、ウエスト部裏始末縁に改良を加えたパンツに関する。
【背景技術】
【０００２】
ズボン、パジャマ下衣、スラックス等のパンツ類において、ウエスト部裏身頃縁を裁断したままの状態にしておくと、縁部の繊維糸がほつれてきてしまう不都合がある。そこで従来より、例えば、縁部を折返して二重にした状態で縫合したり、縁部にオーバーロックミシンを掛けたり、あるいは、別途ウエストバンドを逢着し縁部を内側に縫い込んでしまう等のほつれ防止策がとられている。
【０００３】
【特許文献１】特開平９−１１１５２１
【特許文献２】特開２００１−１４６６０１
【特許文献３】特開２００５−５４３４７
【特許文献４】特開２００５−８９８７６
【０００４】
しかし、裁断縁を折り返して二重に縫合した場合にあっては、この縁始末部分が分厚くなってゴワゴワ感が生じて肌触りが悪くなる。また、縁部をオーバーロック処理した場合にあっては、度重なる洗濯や下着等に引っかかるなどしてロック糸が縒れたり切れたりして縁部のほつれ防止策としては不十分であった。さらに、別途ウエストバンドを縫合してウエスト部を形成する場合にあっては、ほつれ防止策としては充分であっても作業工程が複雑になるなどして縫製コストが高くなってしまう等の問題がある。
【０００５】
特に、介護用ズボン、パジャマ、幼児用ズボン等のパンツにあっては、着用者や着用環境及び洗濯頻度等の事情から考えて、ほつれ防止は不可欠な条件であり、また、着脱し易く肌触り感の良いものであることや、製作コストを抑え安価に提供することも同時に求められている。しかしながら、これらの諸条件を同時に満たす提案はなされていない。
【考案の開示】
【考案が解決しようとする課題】
【０００６】
本考案は、上記従来の問題に鑑みなされたもので、ウエスト部裏始末縁のほつれを確実に防止するとともに、縁始末部分の見た目や肌触りが良く、尚かつ、作業工程が簡易単純で余分なコストを掛けない安価なパンツを提供することを課題とするものである。
【課題を解決するための手段】
【０００７】
上記課題を解決するため、本考案に係るパンツは、腰回り身頃地の開口部において、その開口部端縁を長手方向に挟み込んだ状態にてパイピングテープを縫着し、当該腰回り身頃地の開口部分を帯状のゴム体を被包するよう適宜巾裏側に折返し、これによって重合した身頃地を前記パイピングテープの縫着部近傍において縫合することによりウエスト部を形成することを特徴とする。
【考案の効果】
【０００８】
本考案によれば、ウエスト部の身頃地の裁断縁を折返し二重にして縫合したり、裁断縁をオーバーロック掛けしたり、あるいは、別に用意したウエストバンドを縫着する等の手段を用いることなく、予め裁断縁にパイピングテープを縫着しておくだけで、ウエスト部裏始末縁のほつれを確実に防ぐことができ、始末部分のゴワゴワ感もない肌触りの良いウエスト部とすることができる。しかも、作業工程が簡易単純なため安価な商品とすることができる。
【考案を実施するための最良の形態】
【０００９】
以下、図面を参照し、本考案の好適な実施形態について説明する。
図１は本実施形態に係るパンツのウエスト部を示す概略斜視図、図２は同パンツのウエスト部の部分拡大図、図３は同パンツのウエスト部の縫合状態を示した概略断面図で、図４は縁部をオーバーロックした従来パンツのウエスト部を示す概略斜視図、図５は同従来パンツのウエスト部の部分拡大図である。
【００１０】
本実施形態による下半身用衣服（下衣）としてのパンツ１は、前身頃１１と後身頃１２とを縫合してなるパンツ本体１０と、ベルト状のウエスト部１３とからなる。当該ウエスト部１３は、スーツスラックス等に多く見られるウエストバンドを別途逢着することによって形成したものではなく、予め延設された腰回り身頃地の開口部を適宜巾裏側に折り返すことによって形成したものである。
【００１１】
前記ウエスト部１３の形成に当たっては、図３に示すとおり、先ず、腰回り身頃地の開口部端縁を長手方向に挟み込む状態にてパイピングテープ１４を逢着する（縫合線ａ）。次いで、このパイピングテープ１４が逢着された腰回り身頃地の開口部分を、帯状のゴム体１５を包み込むようにしながら適宜巾裏側に折り返すとともに、パイピングテープ１４の縫着箇所（縫合線ａ）に沿って重ね合わせた身頃地を縫合する（縫合線ｂ）。そして、内包するゴム体１５を定着させるため、当該ゴム体１５を被包する身頃地と共に複数箇所縫合する（縫合線ｃ）。
【００１２】
なお、図４及び図５は、本実施形態によるパンツ１とその基本構成を同じくするものである（よって、同一箇所は同一符号を用いる。）が、ウエスト部１３の裏側身頃端縁の始末を、一般的に行われているオーバーロック処理１６とした従来パンツ１’を示す。
【００１３】
以上のとおり、本考案によるパンツ１は、腰回り身頃端縁にパイピングテープ１４を逢着し、これをゴム体１５を包み込むようにしながら裏側に折返して縫合するといった極めて簡易単純な作業工程によってウエスト部を形成しているため、余分な製造コストが掛からず安価な商品とすることができる。
【００１４】
また、ウエスト部１３裏側に位置する身頃端縁の始末をパイピングテープ１４を逢着することにより行っているため、身頃縁を折り返し二重にして縫合したり端縁をオーバーロック処理する必要もなく、始末縁のほつれを確実に防止することできる。しかも、パイピングテープ１４は、比較的薄手の生地からなり素材も色彩も豊富であるため、パンツ生地の如何にかかわらず、始末縁が肌に当たって不快な刺激を与えてしまう等といった問題も生じない。したがって、特に、パジャマ下衣、介護用パンツ、幼児用ズボン等、肌当たりの良さがより求められているパンツとしては極めて有用である。
【図面の簡単な説明】
【００１５】
【図１】本実施形態に係るパンツのウエスト部を示す概略斜視図。
【図２】同上パンツのウエスト部の部分拡大図。
【図３】同上パンツのウエスト部の縫合状態を示す概略断面図。
【図４】縁部をオーバーロック処理した従来パンツのウエスト部を示す概略斜視図。
【図５】同上従来パンツのウエスト部の部分拡大図。
【符号の説明】
【００１６】
１  パンツ
１０  パンツ本体
１１  前身頃
１２  後身頃
１３  ウエスト部
１４  パイピングテープ
１５  ゴム体
１６  オーバーロック
【図１】
0003154379.tif 000003
【図２】
0003154379.tif 000004
【図３】
0003154379.tif 000005
【図４】
0003154379.tif 000006
【図５】
0003154379.tif 000007